(57)【特許請求の範囲】
【請求項１】
光を発生するための光発生手段と、前記光を、映像を表示するための表示手段にガイドするための導光手段と、底部を覆う基底面と側壁で構成され、前記光発生手段及び導光手段を収納するためのボトムシャーシと、前記ボトムシャーシの対向する第１両端部に各々結合され前記光発生手段及び導光手段をそれらの収納位置に維持するためのガイドフレームとを含み、前記光発生手段は前記第１両端部と直交する側である前記ボトムシャーシの対向する第２両端部の少なくとも１つの端部に定置され、前記ボトムシャーシの第２両端部の少なくとも一方の側壁と直接的に接触し設けられ、
前記ボトムシャーシは、基底面と側壁から成り、前記ガイドフレームが結合される前記第１両端部の側壁は部分的に開放され、
前記第１両端部の側壁には、前記ボトムシャーシの基底面に延びる所定大きさの貫通孔が各々形成され、
前記ガイドフレームは、前記第１両端部の第１端部に結合され、前記第１端部の側壁に形成された貫通孔と締結される第１締結突起を有する第１モールドフレームと、前記第１両端部の前記第１端部と対向する第２端部に結合され、前記第２端部の側壁に形成された貫通孔と締結される第２締結突起を有する第２モールドフレームと、を含むことを特徴とする液晶表示モジュール。
【請求項２】
前記導光手段の上部に設けられ前記導光手段からの光の輝度を向上させるための輝度向上手段と、前記輝度向上手段の上部に設けられ、前記ガイドフレーム及びボトムシャーシと結合し前記導光手段及び輝度向上手段を前記ボトムシャーシに固定するための固定手段とをさらに含むことを特徴とする請求項１に記載の液晶表示モジュール。
【請求項３】
前記第１及び第２モールドフレームの上面は、部分的に陥没され溝が各々形成されることを特徴とする請求項２に記載の液晶表示モジュール。
【請求項４】
前記固定手段の基底面には、前記第１及び第２モールドフレームに各々形成された溝に挿着され、前記ガイドフレームが前記ボトムシャーシから離脱されることを防止するための結合突起が形成されることを特徴とする請求項３に記載の液晶表示モジュール。
【請求項５】
前記表示手段は、前記映像を表示するための液晶パネルと、前記液晶パネルの駆動を制御するための印刷回路基板とを含むことを特徴とする請求項１に記載の液晶表示モジュール。
【請求項６】
前記ボトムシャーシの第１両端部の第２端部の基底面は、前記印刷回路基板を接地させるために部分的に突出されることを特徴とする請求項５に記載の液晶表示モジュール。
【請求項７】
前記印刷回路基板は、前記液晶パネルのゲートラインの駆動を制御するためのゲート印刷回路基板であることを特徴とする請求項６に記載の液晶表示モジュール。
【請求項８】
光を発生するための光発生手段と、前記光をガイドするための導光手段と、前記導光手段から射出される光の輝度特性を向上させるための輝度向上手段と、底部を覆う基底面と側壁で構成され、前記光発生手段、導光手段及び輝度向上手段を収納するためのボトムシャーシと、前記ボトムシャーシの対向する第１両端部に各々結合され、前記光発生手段、導光手段及び輝度向上手段をそれらの収納位置に維持するためのガイドフレームと、前記輝度向上手段の上部に設けられ、前記ガイドフレーム及びボトムシャーシと結合し、前記導光手段及び輝度向上手段を前記ボトムシャーシに固定するための固定手段と、前記固定手段の上部に設けられ、前記輝度向上手段を通じて提供される光に対応し映像を表示するための表示手段と、前記表示手段の前面で前記表示手段を収納するためのフロントケースと、前記ボトムシャーシの背面で前記フロントケースと対向し結合するリアケースとを含み、前記光発生手段は前記第１両端部と直交する側である前記ボトムシャーシの対向する第２両端部の少なくとも１つの端部に定置され、前記ボトムシャーシの第２両端部のすくなくとも一方の側壁と直接的に接触して設けられ、
前記ボトムシャーシは、基底面と側壁から成り、前記ガイドフレームが結合される前記第１両端部の側壁は部分的に開放され、
前記第１両端部の側壁には、前記ボトムシャーシの基底面に延びる所定大きさの貫通孔が形成され、
前記ガイドフレームは、前記第１両端部の第１端部に結合され、前記第１端部の側壁に形成された貫通孔と締結される第１締結突起を有する第１モールドフレームと、前記第１両端部の前記第１端部と対向する第２端部に結合され、前記第２端部の側壁に形成された貫通孔と締結される第２締結突起を有する第２モールドフレームと、を含むことを特徴とする液晶表示装置。
【請求項９】
前記第１及び第２モールドフレームの上面は、部分的に陥没され溝が各々形成されることを特徴とする請求項８に記載の液晶表示装置。
【請求項１０】
前記固定手段の基底面には、前記第１及び第２モールドフレームに各々形成された溝に挿着され、前記ガイドフレームが前記ボトムシャーシから離脱されることを防止するための結合突起が形成されることを特徴とする請求項９に記載の液晶表示装置。
【請求項１１】
前記表示手段は、前記映像を表示するための液晶パネルと、前記液晶パネルの駆動を制御するための印刷回路基板とを含むことを特徴とする請求項８に記載の液晶表示装置。
【請求項１２】
前記ボトムシャーシの第１両端部の第２端部の基底面は、前記印刷回路基板を接地させるために部分的に突出されることを特徴とする請求項１１に記載の液晶表示装置。
【請求項１３】
前記印刷回路基板は、前記液晶パネルのゲートラインの駆動を制御するためのゲート印刷回路基板であることを特徴とする請求項１２に記載の液晶表示装置。
【発明の詳細な説明】
【０００１】
【発明の属する技術分野】
本発明は液晶表示装置に関するものであり、より詳細には、液晶表示装置の全体的な大きさ及び重みを減少させることができる液晶表示装置に関するものである。
【０００２】
【従来の技術】
最近、情報処理機器は多様な形態、多様な機能、より高速の情報処理速度を有するように急速に発展している。このような情報処理装置で処理される情報は電気信号の形態を有する。使用者が情報処理装置で処理された情報を目で確認するためにはインターフェース機能を有するディスプレー装置を必要とする。
【０００３】
最近、ＣＲＴ方式のディスプレー装置に比べて、軽量、小型でありながら、フル−カラー、高解像度化などの機能を有する液晶表示装置の開発が進んでいる。一般的に、液晶表示装置は、液晶の特定の分子配列に電圧を印加して異なる分子配列へ変換させ、このような分子配列により発光する液晶セルの複屈折性、旋光性、２色性及び光散乱特性などの光学的性質の変化を視覚変化へ変換することで、液晶セルによる光の変調を利用したディスプレーである。
【０００４】
図１は従来の液晶表示装置を概略的に示した分解斜視図である。図２は図１に図示された液晶表示装置の結合構造を示した断面図である。
【０００５】
図１を参照すれば、液晶表示装置１００は、画像信号が印加されることにより画面を表示するための液晶表示モジュール１３０と液晶表示モジュール１３０を収納するための前面ケース１１０及び背面ケース１２０とで構成されている。液晶表示モジュール１３０は画面を示す液晶表示パネルを含むディスプレーユニット１７０及びディスプレーユニット１７０に光を提供するバックライトアセンブリ１５０を含む。
【０００６】
ディスプレーユニット１７０は、液晶表示パネル１７１、データ及びゲート印刷回路基板１７６、１７５、及びデータ側及びゲート側テープキャリアパッケージ１７８、１７４を含む。
【０００７】
液晶表示パネル１７１は、薄膜トランジスター基板１７２、カラーフィルタ基板１７３及び液晶（図示せず）を含む。
【０００８】
薄膜トランジスター基板１７２はマトリックス状の薄膜トランジスターが形成されている透明なガラス基板である。前記薄膜トランジスターのソース端子にはデータラインが連結され、ゲート端子にはゲートラインが連結される。かつ、ドレーン端子は透明な導電性材質であるインジウムティンオキサイド（ＩＴＯ）より成る画素電極を用いて形成される。
【０００９】
前記薄膜トランジスター基板１７２に対向してカラーフィルタ基板１７３が具備されている。カラーフィルタ基板１７３は光が通過すると所定の色が発現される色画素であるＲＧＢ画素が薄膜工程により形成された基板である。カラーフィルタ基板１７３の前面にはＩＴＯから成る共通電極が塗布されている。
【００１０】
前述した薄膜トランジスター基板１７２のトランジスターのゲート端子及びソース端子に電力が印加されて薄膜トランジスターがターンオンされると、画素電極とカラーフィルタ基板１７３の共通電極との間には電界が形成される。このような電界により薄膜トランジスター基板１７２とカラーフィルタ基板１７３の間に注入された液晶の配列角が変化し、変化した配列角に従って光透過率が変更されて所望の画素を得ることになる。そして、前記液晶表示パネル１７１の液晶の配列角と液晶が配列される時期を制御するために、薄膜トランジスターのゲートライン及びデータラインに駆動信号及びタイミング信号が印加される
【００１１】
前記ディスプレーユニット１７０の下には前記ディスプレーユニット１７０に均一な光を提供するためのバックライトアセンブリ１５０が具備されている。バックライトアセンブリ１５０は、液晶表示モジュール１３０の一側に具備されて光を発生させるためのランプユニット１６１、１６２、前記光をディスプレーユニット１７０側に案内するように光の経路を変更するための導光板１５２、前記導光板１５２から射出される光の輝度を均一にするための複数個の光学シート１５３及び前記導光板１５２の下で導光板１５２から漏洩される光を導光板１５２に反射させて光の効率を高めるための反射板１５４が含まれる。
【００１２】
前記ディスプレーユニット１７１及びバックライトアセンブリ１５０は、収納容器であるモールドフレーム１３２に順次に収納され、前記モールドフレーム１３２はボトムシャーシ１３４に収納され、前記ボトムシャーシ１３４と対向して結合するトップシャーシ１４０が提供される。
【００１３】
次、前記ボトムシャーシ１３４の背面に前記ディスプレーユニット１７０に電力を提供するインバータ回路（図示せず）などからの電磁波を遮蔽するためのシルドケース（図示せず）が設けられる。そして、前記フロントケース１１０及びリアケース１２０を対向し結合して液晶表示装置を完成する。
【００１４】
このとき、図２に図示されたように、前記ランプユニット１６１、１６２及び導光板１５２は前記モールドフレーム１３２の収納空間に完全に挿入され収納される。即ち、前記ランプユニット１６１、１６２の外側へは、前記モールドフレーム１３２の側壁が位置して前記ランプユニット１６１、１６２及び導光板１５２の移動を防止する。
【００１５】
しかし、このような液晶表示装置では、次のような問題点が存在する。
【００１６】
第一に、前記液晶表示装置の幅、即ち、前記ランプユニット１６１、１６２を収納すべきスペースを有した部分の両端部の幅が、前記モールドフレーム１３２の側壁厚さｔ１、ｔ２に対応した分だけ増大し、前記液晶表示装置の全体的な幅が大きくなる。
【００１７】
第二に、前記ランプユニット１６１、１６２の外側が熱伝達特性が低い前記モールドフレーム１３２によりカバーされることにより、前記ランプユニット１６１、１６２から発生される熱が容易に放出されない。
【００１８】
【発明が解決しようとする課題】
上述した問題点を解決するために提案された本発明は、液晶表示装置の全体的な大きさ及び重さを減少させることができる液晶表示モジュールを提供することである。
【００１９】
本発明の他の目的は、液晶表示装置の全体的な大きさ及重さを最小化することができる液晶表示装置を提供することである。
【００２０】
【発明の解決するための手段】
上述した目的を達成するための本発明による液晶表示モジュールは、光を発生するための光発生部と、前記光を映像として表示するための表示部にガイドするための導光板と、前記光発生部及び導光板を収納するためのボトムシャーシと、前記ボトムシャーシの対向する第１両端部に各々結合され前記光発生部及び導光板をそれらの収納位置に維持するためのガイドフレームとを含み、前記光発生部は前記第１両端部と直交する側である前記ボトムシャーシの対向する第２両端部のうち、少なくとも１つの端部に定置され、前記ボトムシャーシの第２両端部の少なくとも一方の側壁と直接的に接触して設けられ、
前記ボトムシャーシは、基底面と側壁から成り、前記ガイドフレームが結合される前記第１両端部の側壁は部分的に開放され、  前記第１両端部の側壁には、前記ボトムシャーシの基底面に延びる所定大きさの貫通孔が各々形成され、  前記ガイドフレームは、前記第１両端部の第１端部に結合され、前記第１端部の側壁に形成された貫通孔と締結される第１締結突起を有する第１モールドフレームと、前記第１両端部の前記第１端部と対向する第２端部に結合され、前記第２端部の側壁に形成された貫通孔と締結される第２締結突起を有する第２モールドフレームと、を含む。
【００２１】
上述した目的を達成するための本発明による液晶表示装置は、光を発生するための光発生部と、前記光をガイドするための導光板と、前記導光板から射出される光の輝度特性を向上させるための輝度向上部と、前記光発生部、導光板及び輝度向上部を収納するためのボトムシャーシと、前記ボトムシャーシの対向する第１両端部に各々結合され、前記光発生部、導光板及び輝度向上部をそれらの収納位置に維持するためのガイドフレームと、前記輝度向上部の上部に設けられ、前記ガイドフレーム及びボトムシャーシと結合して前記導光板及び輝度向上部を前記ボトムシャーシに固定するための固定部と、前記固定部の上部に設けられ、前記輝度向上部を通じて提供される光に対応して映像を表示するための表示部と、前記表示部の前面で前記表示部を収納するためのフロントケースと、前記ボトムシャーシの背面で前記フロントケースと対向して結合するリアケースとを含み、
前記光発生手段は前記第１両端部と直交する側である前記ボトムシャーシの対向する第２両端部の少なくとも１つの端部に定置され、前記ボトムシャーシの第２両端部のすくなくとも一方の側壁と直接的に接触して設けられ、
前記ボトムシャーシは、基底面と側壁から成り、前記ガイドフレームが結合される前記第１両端部の側壁は部分的に開放され、  前記第１両端部の側壁には、前記ボトムシャーシの基底面に延びる所定大きさの貫通孔が形成され、  前記ガイドフレームは、前記第１両端部の第１端部に結合され、前記第１端部の側壁に形成された貫通孔と締結される第１締結突起を有する第１モールドフレームと、前記第１両端部の前記第１端部と対向する第２端部に結合され、前記第２端部の側壁に形成された貫通孔と締結される第２締結突起を有する第２モールドフレームと、を含む。
【００２２】
前記光発生部は前記第１両端部と直交する側である前記ボトムシャーシの対向する第２両端部のうち、少なくとも１つの端部に定置され、前記ボトムシャーシの第２両端部の少なくとも一方の側壁と直接的に接触して設けられ、
前記ボトムシャーシは、基底面と側壁から成り、前記ガイドフレームが結合される前記第１両端部の側壁は部分的に開放され、  前記第１両端部の側壁には、前記ボトムシャーシの基底面に延びる所定大きさの貫通孔が形成され、  前記ガイドフレームは、前記第１両端部の第１端部に結合され、前記第１端部の側壁に形成された貫通孔と締結される第１締結突起を有する第１モールドフレームと、前記第１両端部の前記第１端部と対向する第２端部に結合され、前記第２端部の側壁に形成された貫通孔と締結される第２締結突起を有する第２モールドフレームと、を含む。
【００２３】
好ましくは、前記導光手段の上部に設けられ前記導光手段からの光の輝度を向上させるための輝度向上手段と、前記輝度向上手段の上部に設けられ、前記ガイドフレーム及びボトムシャーシと結合し前記導光手段及び輝度向上手段を前記ボトムシャーシに固定するための固定手段とをさらに含む。
【００２４】
好ましくは、前記第１及び第２モールドフレームの上面は、部分的に陥没され溝が各々形成される。
【００２５】
好ましくは、前記固定手段の基底面には、前記第１及び第２モールドフレームに各々形成された溝に挿着され、前記ガイドフレームが前記ボトムシャーシから離脱されることを防止するための結合突起が形成される。
【００２６】
このような、液晶表示モジュール及び液晶表示装置によると、ランプをカバーして保護するランプカバーは、ボトムシャーシの側壁に直接的に接触して実装され、導光板及び拡散シートなどは前記ランプと直交する方向に関し前記ボトムシャーシの側壁に設けられるガイドフレームにより移動が防止される。
【００２７】
従って、モールドフレームの側壁厚さの分だけ液晶表示装置の大きさを減少させることができ、また前記ランプカバーとボトムシャーシの側壁との間に熱導電性が低いモールドフレームを設けないことにより、前記ランプから発生される熱を容易に外部へ放出させることができる。
【００２８】
【発明の実施の形態】
以下、図面を参照して本発明の望ましい実施形態をより詳細に説明する。
【００２９】
図３は本発明の望ましい実施形態による液晶表示装置の分解斜視図である。
【００３０】
図３を参照すれば、液晶表示装置１０００は、画像信号が印加され画面を表示するための液晶表示モジュール９００、液晶表示モジュール９００を収納するための前面ケース２１０及び背面ケース２２０で構成されたケースを含む。
【００３１】
液晶表示モジュール９００は、機能的に、映像を表示するための液晶表示パネルを含むディスプレーユニット３００及び前記ディスプレーユニット３００に光を提供するためのバックライトアセンブリから成る。
【００３２】
以下、上述した液晶表示装置の構成をより具体的に説明する。
【００３３】
ディスプレーユニット３００は液晶表示パネル３１０、パネル駆動用印刷回路基板（以下、“統合印刷回路基板”と言う）３３０、データ側テープキャリアパッケージ（ＴＣＰ：ｔａｐｅ  ｃａｒｒｉｅｒ  ｐａｃｋａｇｅ）３４０及びゲート側テープキャリアパッケージ３２０を含む。
【００３４】
ここで、前記統合印刷回路基板３３０は前記ゲート側テープキャリアパッケージ３２０に接続され前記液晶表示パネル３１０のゲートラインを駆動するための駆動回路及び前記データ側テープキャリアパッケージ３４０に接続され前記液晶表示パネル３１０のデータラインを駆動するための駆動回路が共に実装される。
【００３５】
即ち、前記ゲート側テープキャリアパッケージ３２０には前記ゲートラインを駆動する信号を前記液晶表示パネル３１０に提供するための配線パターンなどが実装される。そして、前記統合印刷回路基板３３０は前記データ側テープキャリアパッケージ３４０を通じて前記液晶表示パネル３１０の一側のみ結合される。
【００３６】
一方、前記統合印刷回路基板３３０は各々の印刷回路基板により構成されているゲート印刷回路基板及びデータ印刷回路基板の駆動回路を一つの印刷回路基板に統合して構成されるために、高密度の実装技術が要求される。ここでは、チップオンガラス（ＣＯＧ；Ｃｈｉｐ  Ｏｎ  Ｇｌａｓｓ）方式を適用して前記ゲート及びデータ駆動回路の部品をパッケージ状態ではないチップ又は部品状態で、ボード上に直接的にワイヤボンディング（ｗｉｒｅ  ｂｏｎｄｉｎｇ）及びバンピング（ｂｕｍｐｉｎｇ）して実装することができる。
【００３７】
液晶表示パネル３１０は薄膜トランジスター基板３１２、カラーフィルタ基板３１４及び液晶（図示せず）を含む。
【００３８】
薄膜トランジスター基板３１２はマトリックス状に薄膜トランジスターが形成されている透明なガラス基板である。前記薄膜トランジスターのソース端子にはデータラインが連結され、ゲート端子にはゲートラインが連結される。かつ、ドレーン端子は透明な導電性材質であるインジウムティンオキサイド（ＩＴＯ）で構成される画素電極によって形成される。
【００３９】
データライン及びゲートラインに電気信号を入力すると、各々の薄膜トランジスターのソース端子とゲート端子に電気信号が入力され、この電気的な信号の入力に従って薄膜トランジスターはターンオンまたはターンオフされて、ドレーン端子を介して画素形成に必要な電気信号が出力される。
【００４０】
前記薄膜トランジスター基板３１２に対向してカラーフィルタ基板３１４が具備されている。カラーフィルタ基板３１４は光が通過すると所定の色が発現される色画素であるＲＧＢ画素が薄膜工程により形成された基板である。カラーフィルタ基板３１４の前面にはＩＴＯから成る共通電極が塗布されている。
【００４１】
前述した薄膜トランジスター基板３１２のトランジスターのゲート端子及びソース端子には電力が印加されており、薄膜トランジスターがターンオンされると、画素電極とカラーフィルタ基板３１４の共通電極との間には電界が形成される。このような電界により薄膜トランジスター基板３１２とカラーフィルタ基板３１４の間に注入された液晶の配列角が変化し、変化した配列角に従って光透過率が変更されて所望の画素を得ることになる。
【００４２】
前記液晶表示パネル３１０の液晶の配列角と液晶が配列される時期とを制御するために、薄膜トランジスターのゲートラインとデータラインとに駆動信号及びタイミング信号が印加される。
【００４３】
図示したように、液晶表示パネル３１０のソース側にはデータ駆動信号の印加時期を決定する可撓性回路基板の一種であるデータ側テープキャリアパッケージ３４０が設けられており、ゲート側にはゲート駆動信号の印加時期を決定するための、ＣＯＦ方式に製造されたゲート側可撓性回路基板３２０が設けられている。
【００４４】
液晶表示パネル３１０の外部から映像信号の入力を受けて、データラインとゲートラインに各々駆動信号を印加するための統合印刷回路基板３３０は、液晶表示パネル３１０のデータライン側のデータ側テープキャリアパッケージ３４０に接続される。統合印刷回路基板３３０は、コンピュータなどの外部の情報処理装置（図示せず）から発生した映像信号が印加されて前記液晶表示パネル３１０にデータ駆動信号を提供するためのソース部と前記液晶表示パネル３１０のゲートラインにゲート駆動信号を提供するためのゲート部とが形成されている。
【００４５】
すなわち、統合印刷回路基板３３０は、液晶表示装置を駆動するための信号であるゲート駆動信号、データ信号及びこれらの信号を適切な時期に印加するための複数のタイミング信号を発生し、ゲート駆動信号をゲート側テープキャリアパッケージ３２０を通じて液晶表示パネル３１０のゲートラインに印加し、データ信号はデータ側テープキャリアパッケージ３４０を通じて液晶表示パネル３１０のデータラインに印加する。
【００４６】
前記ディスプレーユニット３００の下には、前記ディスプレーユニット３００に均一な光を提供するためのバックライトアセンブリが具備されている。バックライトアセンブリは光を発生させるための第１及び第２ランプユニット５３０、５４０を含む。前記第１及び第２ランプユニット５３０、５４０には各々二つずつのランプが実装される。ここでは、二つのランプユニットを用いた液晶表示装置を例を挙げて説明するが、本発明の技術的思想は一つのランプユニットを用いた液晶表示装置でも同様な目的及び効果を達成することができる。
【００４７】
導光板５２０は前記ディスプレーユニット３００の液晶表示パネル３１０に対応する大きさを有し、液晶表示パネル３１０の下に位置して前記第１及び第２ランプユニット５３０、５４０から発生した光をディスプレーユニット３００側に案内するよう光の経路を変更する。
【００４８】
前記導光板５２０の上には導光板５２０から出射されて液晶表示パネル３１０に向かう光の輝度を均一にするための複数個の光学シート５１０が具備されている。前記光学シート５１０の対向する両端部には、前記光学シート５１０の所定部分を延伸することにより成った第１及び第２突出部５１０ａ、５１０ｂが各々形成され、前記第１及び第２突出部５１０ａ、５１０ｂを貫通して結合孔が形成される。また、前記導光板５２０の下には、前記導光板５２０から漏洩する光を前記導光板５２０に反射させ、光の効率を高めるための反射板５５０が具備されている。
【００４９】
前記バックライトアセンブリは、収納容器であるボトムシャーシ８００に収納される。前記ボトムシャーシ８００の両端部には第１及び第２ガイドフレーム６００、７００が設けられ前記導光板５２０、第１及び第２ランプユニット５３０、５４０、光学シート５１０の収納位置をガイドし、これらの移動を防止する。即ちガイドフレームは、導光板、ランプユニット、光学シートを収納するに当たりこれらの挿入をガイドすると共にこれらを所定の収納位置に維持する保持手段として機能する。
【００５０】
前記ディスプレーユニット３００の下には、前記ボトムシャーシ８００、第１ガイドフレーム６００及び第２ガイドフレーム７００と対向して結合され、前記導光板５２０、第１及び第２ランプユニット５３０、５４０、光学シート５１０を前記ボトムシャーシ８００に固定するためのミドルモールドフレーム４００が提供される。
【００５１】
また、前記ディスプレーユニット３００の上には、前記ボトムシャーシ８００と対向結合し、前記統合印刷回路基板３３０を前記ボトムシャーシ８００の外縁に沿って折り曲げ、かつ前記ディスプレーユニット３００が前記ボトムシャーシ８００から離脱されることを防止するためのトップシャーシ２３０が提供される。
【００５２】
次に、図４乃至図１６を参照して、液晶表示装置の結合構造を詳細に説明する。
【００５３】
図４は図３に図示されたボトムシャーシの構造を具体的に示した斜視図である。
【００５４】
図４を参照すれば、前記ボトムシャーシ８００は基底面と側壁により成る。前記側壁のうち、第１側壁８２０の外部には所定の高さで突出するよう第１乃至第３エンボシング８２２、８２４、８２６が所定距離離して形成される。
【００５５】
前記ボトムシャーシ８００と前記ミドルモールドフレーム４００の結合ときに、前記第１乃至第３エンボシング８２２、８２４、８２６は前記ミドルモールドフレーム４００の対向する側壁に形成される結合孔と結合される。そして、前記第１乃至第３エンボシング８２２、８２４、８２６には所定の高さで突出するよう第１乃至第３突起８２２ａ、８２４ａ、８２６ａが各々形成される。前記第１乃至第３突起８２２ａ、８２４ａ、８２６ａは前記トップシャーシ２３０の対向する側壁に形成される孔と結合する。
【００５６】
同様に、前記第１側壁８２０と対向する第２側壁８３０の外部には、所定の高さで突出するよう第４乃至第６エンボシング８３２、８３４、８３６が所定距離離して形成される。前記第４乃至第６エンボシング８３２、８３４、８３６は前記ミドルモールドフレーム４００の対向する側壁に形成される結合孔と結合する。そして、前記第４乃至第６エンボシング８３２、８３４、８３６には所定の高さで突出するよう第４乃至第６突起８３２ａ、８３４ａ、８３６ａが各々形成される。前記第４乃至第６突起８３２ａ、８３４ａ、８３６ａは前記トップシャーシ２３０の対向する側壁に形成される孔と結合する。前記ボトムシャーシ８００と前記ミドルモールドフレーム４００及びトップシャーシ２３０との具体的な結合関係は後述する。
【００５７】
一方、前記第１及び第２側壁８２０、８３０と直交し、前記第１ガイドフレーム６００が結合される第１端部の側壁は、部分的に開放され、前記第１ガイドフレーム６００を固定するための第１及び第２固定側壁８４０、８５０を形成する。同様に、前記第１端部と対向し、前記第２ガイドフレーム７００が結合される第２端部の側壁も部分的に開放され、前記第２ガイドフレーム７００を固定するための第３及び第４固定側壁８６０、８７０を形成する。
【００５８】
前記第１及び第２固定側壁８４０、８５０には、第１及び第２固定側壁８４０、８５０の中央部を貫通した、前記第１ガイドフレーム６００を固定するための第１及び第２固定孔８４２、８５２が各々形成される。前記第１及び第２固定孔８４２、８５２は前記第１及び第２固定側壁８４０、８５０から前記ボトムシャーシ８００の基底面の所定部分まで延びて形成される。ここで、前記第１固定孔８４２の前記ボトムシャーシ８００側の端部及びそれとは逆側の即ち第１固定側壁８４０の側の端部は、各々第１及び第２固定縁部８４２ａ、８４２ｂと称し、前記第２固定孔８５２の前記ボトムシャーシ８００側の端部及びそれとは逆側の即ち前記第２固定側壁８５０の側の端部は、各々第３及び第４固定縁部８５２ａ、８５２ｂと称する。
【００５９】
同様に、前記第３及び第４固定側壁８６０、８７０には前記第３及び第４固定側壁８６０、８７０の中央部を貫通した、前記第２ガイドフレーム７００を固定するための第３及び第４固定孔８６２、８７２が各々形成される。前記第３及び第４固定孔８６２、８７２も前記第３及び第４固定側壁８６０、８７０から前記ボトムシャーシ８００の基底面の所定部分まで延びて形成される。ここで、前記第３固定孔８６２の前記ボトムシャーシ８００側の端部及びそれとは逆側の即ち前記第３固定側壁８６０側の端部は、各々第５及び第６固定縁部８６２ａ、８６２ｂと称し、前記第４固定孔８７２の前記ボトムシャーシ８００側の端部及びそれとは逆側の即ち前記第４固定側壁８７０の側の端部は、各々第７及び第８固定縁部８７２ａ、８７２ｂと称する。
【００６０】
ここで、前記第３及び第４固定側壁８６０、８７０は、前記第１及び第２固定側壁８４０、８５０より狭い間隔を有するように形成され、前記第３及び第４固定側壁８６０、８７０の間の前記ボトムシャーシ８００の基底面は、外側に突出して接地部８８０が形成される。前記接地部８８０は前記トップシャーシ２３０により前記第２ガイドフレーム７００の外側に折り曲げられる前記ゲート側テープキャリアパッケージ３２０と接続してそれを接地する。
【００６１】
図５乃至図８は、図３に図示されたガイドフレームの構造を詳細に示した図面である。ここでは、前記第１ガイドフレーム６００を例として説明し、前記第２ガイドフレーム７００は前記第１ガイドフレーム６００と異なる構造を有する部分について説明する。
【００６２】
図５乃至図８に図示されたように、前記第１ガイドフレーム６００は概略的に言って第１上板６１０、第１上板６１０の両端部から前記第１上板６１０と直交するように同一の方向に延びて形成された第１内壁６２０及び第１外壁６３０により成る。
【００６３】
前記第１内壁６２０は前記ボトムシャーシ８００の第１固定孔８４２と対応するように前記第１内壁６２０の所定部分を切開し、長く延びて形成された第１固定突起６１２を含む。また、前記第１固定突起６１２と所定距離離隔され前記第２固定孔８５２と対応する位置には、前記第１固定突起６１２と同様な形状を有する第２固定突起６１４が形成される。前記第１及び第２固定突起６１２、６１４は前記第１ガイドフレーム６００を前記ボトムシャーシ８００に収納するとき、前記第１及び第３固定縁部８４２ａ、８５２ａと各々結合する。
【００６４】
一方、図６を参照すれば、前記第１ガイドフレーム６００の第１外壁６３０は前記ボトムシャーシ８００の第２固定孔８５２と対応するように前記第１外壁６３０の所定部分を切開して形成された第３固定突起６３２、及び前記第３固定突起６３２と所定距離離隔され、前記第１固定孔８４２と対応する位置に前記第３固定突起６３２と同様な形状を有するように形成された第４固定突起６３５を含む。前記第３及び第４固定突起６３２、６３５は前記第１ガイドフレーム６００を前記ボトムシャーシ８００に収納するとき、前記第２及び第４固定縁部８４２ｂ、８５２ｂと各々結合する。
【００６５】
前記第３及び第４固定突起６３２、６３５は前記第１外壁６３０と同一の延伸長さを有する。再び、図８に図示されたように、前記第１外壁６３０に形成された前記第３及び第４固定突起６３２、６３５は前記第１内壁６２０に形成された前記第１及び第２固定突起６１２、６１４より短い長さを有する。なぜならば、前記第１及び第２固定突起６１２、６１４が各々結合される前記第１及び第３固定縁部８４２ａ、８５２ａは前記ボトムシャーシ８００の基底面８１０に位置し、前記第３及び第４固定突起６３２、６３５が各々結合される前記第２及び第４固定縁部８４２ｂ、８５２ｂは、前記ボトムシャーシ８００の基底面８１０より高い第１及び第２固定側壁８４０、８５０に位置するためである。
【００６６】
また、前記第１外壁６３０には、前記ミドルモールドフレーム４００の結合孔と結合し、前記ミドルモールドフレーム４００と前記ボトムシャーシ８００との結合力を提供するための第７及び第８突起６３３、６３４が形成される。
【００６７】
前記第１ガイドフレーム６００の第１上板６１０の一端部は、所定の深さで陥没して第１陥没部６１６が形成される。前記第１陥没部６１６上には、前記光学シート５１０の前記第１突出部５１０ａに形成された結合孔と結合して前記光学シート５１０の移動を防止するための第５固定突起６１８が形成される。
【００６８】
また、前記第１ガイドフレーム６００の中央部には前記第１上板６１０の上面で、「コ」の字形状を有する第２陥没部６１３が形成されるが、前記第２陥没部６１３の機能は前記ミドルモールドフレーム４００と共に後述する。前記第２陥没部６１３は必ずしも「コ」の字形状に限定されず、ただ前記第１上板６１０の中央部に所定の深さを有する陥没部が形成されることで十分である。
【００６９】
前記第１ガイドフレーム６００の第１外壁６３０の一端部には、前記第１外壁６３０から外側に突出された第１ガイドアーム６３１が形成される。前記第１ガイドアーム６３１は互いに所定距離離隔され、前記第１外壁６３０から突出され、それらの間に収容空間を提供するアーム対から成る。前記第１ガイドアーム６３１は、前記第１ランプユニット５３０のランプと電気的に接続されて外部電力を前記第１ランプユニット５３０に提供する第１電力供給ライン（図示せず）を収容し固定し、前記第１電力供給ライン（図示せず）を前記ボトムシャーシ８００の背面にガイドする。
【００７０】
同様に、前記第１ガイドフレーム６００の第１外壁６３０の他の一端部には、前記第１ガイドアーム６３１と同様な形状を有する第２ガイドアーム６３６が形成される。そして、前記第２ガイドアーム６３６は、前記第２ランプユニット５４０のランプと電気的に接続されて外部電力を前記第２ランプユニット５４０に提供する第２電力供給ライン（図示せず）を収容し固定し、前記第２電力供給ライン（図示せず）を前記ボトムシャーシ８００の背面にガイドする。
【００７１】
前記ボトムシャーシ８００の第３及び第４固定孔８６２、８７２には、前記第２ガイドフレーム７００が結合される。前記第２ガイドフレーム７００は前記第１及び第２固定孔８４２、８５２に結合される前記第１ガイドフレーム６００と同様な形状を有する。
【００７２】
即ち、図面には図示されなかったが、前記第２ガイドフレーム７００は前記第１ガイドフレーム６００と同様に第２上板、第２内壁及び第２外壁から成る。前記第２内壁には前記ボトムシャーシ８００の第５及び第７固定縁部８６２ａ、８７２ａと各々結合される第６及び第７固定突起が形成され、前記第２外壁には前記ボトムシャーシ８００の第６及び第８固定縁部８６２ｂ、８７２ｂと各々結合される第８及び第９固定突起が形成され、前記第２上板の一端部を陥没して形成された第３陥没部には、前記光学シート５１０の第２突出部５１０ｂの結合孔と結合する第１０固定突起が形成される。また、前記第２外壁には前記ミドルモールドフレーム４００と前記ボトムシャーシ８００との結合力を提供するための第９及び第１０突起７３１、７３３が形成される。そして、前記第２ガイドフレーム７００の中央部には前記第２上板の上面で、「コ」の字形状を有する第４陥没部が形成されるが、前記第４陥没部の機能は、前記第１上板６１０に形成された前記第２陥没部６１２と共に後述する。
【００７３】
一方、前記第２ガイドフレーム７００の第２外壁には、前記第１ガイドフレーム６００の第１外壁６３０に形成された前記第１及び第２ガイドアーム６３１、６３６が形成されない。その理由は、前記第１及び第２ランプユニット５３０、５４０に外部電力を供給するための第１及び第２電力供給ライン（図示せず）は、前記第１及び第２ガイドアーム６３１、６３６により前記ボトムシャーシ８００の背面にガイドされるためである。
【００７４】
次に、図９乃至図１１の液晶表示装置を参照して上述した液晶表示装置の結合構造をより詳細に説明する。
【００７５】
図９は図４に図示されたボトムシャーシとガイドフレームとの結合構造を示した平面図であり、図１０は図９に図示されたボトムシャーシとガイドフレームとの結合構造をＡ−Ａ′で示した断面図であり、図１１は図４に図示されたボトムシャーシの突起の構造を図９のＢ−Ｂ′に沿って示した図面である。
【００７６】
図９を参照すれば、前記第１ガイドフレーム６００を前記ボトムシャーシ８００の第１及び第２固定側壁８４０、８５０に結合する。前記第１ガイドフレーム６００の第１及び第４固定突起６１２、６３５は前記ボトムシャーシ８００の第１固定孔８４２に挿入され、前記第１ガイドフレーム６００の第２及び第３固定突起６１４、６３２は前記ボトムシャーシ８００の第２固定孔８５２に挿入される。そして、前記第１外壁６３０の前記第３及び第４固定突起６３２、６３５より長く形成された前記第１内壁６２０の前記第１及び第２固定突起６１２、６１４は前記第１及び第３固定縁部８４２ａ、８５２ａと各々かみ合って、前記第３及び第４固定突起６３２、６３５は第２及び第４固定縁部８４２ｂ、８５２ｂと各々かみ合う。
【００７７】
前記第１固定孔８４２に挿入された前記第１及び第４固定突起６１２、６３５の結合構造が図１０に具体的に図示されている。図１０を参照すれば、前記第１固定突起６１２の突出部は、前記ボトムシャーシ８００の基底面８１０の第１固定縁部８４２ａにかみ合っており、前記第４固定突起６３５の突出部は前記第１固定側壁８４０の第２固定縁部８４２ｂにかみ合っている。前記第２固定孔８５２に挿入される前記第２及び第３固定突起６１４、６３２の結合構造は前記第１及び第４固定突起６１２、６３５の結合構造と同一である。
【００７８】
同様に、前記ボトムシャーシ８００の第３固定孔８６２とこれに挿入される前記第２ガイドフレーム７００の第５及び第８固定突起７１２、７３５の結合構造、そして前記ボトムシャーシ８００の第４固定孔８７２とこれに挿入される前記第２ガイドフレーム７００の第６及び第７固定突起７１４、７３２の結合構造も図１０に図示されたような結合構造を有する。
【００７９】
図４と図１１とを参照することにより理解できるように、前記ボトムシャーシ８００の第１側壁８２０に形成された前記第１乃至第３突起８２２ａ、８２４ａ、８２６ａは前記第１側壁８２０を所定の高さに突出させ形成された第１乃至第３エンボシング８２２、８２４、８２６上に各々形成され、前記ボトムシャーシ８００の第２側壁８３０に形成された第４乃至第６突起８３２ａ、８３４ａ、８３６ａは前記第２側壁８３０を所定の高さに突出させ形成された第４乃至第６エンボシング８３２、８３４、８３６上に各々形成される。
【００８０】
前記第１乃至第６エンボシング８２２、８２４、８２６、８３２、８３４、８３６は前記ボトムシャーシ８００と前記ミドルモールドフレーム４００との結合力を提供し、前記第１乃至第６突起８２２ａ、８２４ａ、８２６ａ、８３２ａ、８３４ａ、８３６ａは前記ボトムシャーシ８００と前記トップシャーシ２３０との結合力を提供する。前記ボトムシャーシ８００とミドルモールドフレーム４００、そして前記ボトムシャーシ８００とトップシャーシ２３０との結合構造は次の図面を参照して説明する。
【００８１】
図１２は図９に図示されたボトムシャーシに第１及び第２ランプユニットを結合した構造を示した平面図であり、図１３は図１２に図示されたボトムシャーシと第１及び第２ランプユニットの結合構造をＣ−Ｃ′に沿って示した断面図であり、図１４は図１２に図示された第２電力供給ラインのガイド構造を示した斜視図である。ここで、前記第１及び第２ランプユニット５３０、５４０が同一の形状及び構成要素から成るので、前記第２ランプユニット５４０を例を挙げて説明する。
【００８２】
図１３及び図１４を参照すれば、前記第２ランプユニット５４０は複数のランプ５４３と、前記ランプ５４３をカバーして保護し、前記ランプ５４３からの光を前記導光板５２０に向け反射するためのランプカバー５４２と、前記ランプ５４３の両端に設けられ、前記ランプカバー５４２に収納された前記ランプ５４３の移動を防止するためのランプホルダー５５５、そして前記ランプ５４３に駆動電力を提供するための前記第２電力供給ライン５４１を有する。
【００８３】
上述したように、前記第１及び第２ガイドフレーム６００、７００を前記ボトムシャーシ８００に結合した後、図１２に図示されたように、前記ボトムシャーシ８００の第１側壁８２０に前記第２ランプユニット５４０を設け、前記ボトムシャーシ８００の第２側壁８３０に前記第１ランプユニット５３０を設ける。
【００８４】
このとき、図１３に図示されたように、前記第２ランプユニット５４０は前記ランプカバー５４２が前記ボトムシャーシ８００の第１側壁８２０に直接的に接触するように設けられる。また、前記第１ランプユニット５３０のランプカバー（図示せず）は前記ボトムシャーシ８００の第２側壁８３０に直接的に接触するように設けられる。
【００８５】
このように、第２ランプユニット５４０の前記ランプカバー５４２を前記ボトムシャーシ８００の第１側壁８２０と直接接触するように設けると、前記第２ランプユニット５４０の複数のランプ５４３から発生する熱が前記ランプカバー５４２及び前記第１側壁８２０を通じて容易に外部へ放出されることができる。また、第２ランプユニット５４０の収納位置を固定するために前記ランプカバー５４２と前記第１側壁８２０との間に従来あってモールドフレームの部分の厚さ分だけ液晶表示装置の大きさを減少させることができる。
【００８６】
一方、図１２に図示されたように、前記第１ランプユニット５３０に駆動電力を提供する前記第１電力供給ライン５３１は前記第１ガイドフレーム６００の第１ガイドアーム６３１側に引出され、前記第２ランプユニット５４０に駆動電力を提供する前記第２電力供給ライン５４１は前記第１ガイドフレーム６００の第２ガイドアーム６３６側に引出される。
【００８７】
前記第２電力供給ライン５４１は前記第２ガイドアーム６３６により、前記ボトムシャーシ８００の背面に実装されるインバータ回路（図示せず）に接続される。具体的に、図１４を参照すれば、前記第２ランプユニット５４０の複数のランプ５４３に高電圧を印加する高電圧用電力供給ラインは、前記複数のランプ５４３の一端部に設けられた第１ランプホルダー５５５を通じて前記複数のランプ５４３に連結され、前記第２ランプユニット５４０の複数のランプ５４３の低電圧側ライン５４４は、前記複数のランプ５４３の他の一端部に設けられた第２ランプホルダー（図示せず）を通じて前記複数のランプ５４３に連結される。
【００８８】
図１３に図示されたように、前記低電圧側ライン５４４は前記ランプカバー５４２の背面に沿って、前記第１ランプホルダー５５５側に延び、前記高電圧用電力供給ラインと共に収縮チューブ５５６によりラッピング即ち包囲される。前記収縮チューブ５５６によりラッピングされた前記第２電力供給ライン５４１は、前記第２ガイドアーム６３６により提供される収納空間に収納され、前記第２電力供給ライン５４１の端部に連結されたコネクタは、前記ボトムシャーシ８００の背面にガイドされ、前記インバータ回路（図示せず）のコネクタと電気的に接続される。前記第１ランプユニット５３０の第１電力供給ライン５３１は、前記第２電力供給ライン５４１と同様な方法により前記第１ガイドアーム６３１を通じて前記インバータ回路（図示せず）にガイドされる。
【００８９】
図１５は図３に図示されたミドルモールドフレームの構造を具体的に示した斜視図である。
【００９０】
図１５を参照すれば、前記ミドルモールドフレーム４００は前記ボトムシャーシ８００、前記第１及び第２ガイドフレーム６００、７００と結合して前記導光板５２０、光学シート５１０、第１ランプユニット５３０及び前記第２ランプユニット５４０などを前記ボトムシャーシ８００に固定する。
【００９１】
これのために、前記ミドルモールドフレーム４００は前記導光板５２０及び光学シート５１０を通じて入射する光を前記ディスプレーユニット３００に提供するために、所定の縁部分を除外し基底面４１０が全体的に開口される。前記基底面４１０の各端部から前記縁部分と直交して前記ボトムシャーシ８００側に延びる第１、第２、第３及び第４側壁４３０、４４０、４５０、４６０には、前記ボトムシャーシ８００の第１乃至第６エンボシング８２２、８２４、８２６、８３２、８３４、８３６と結合される第１乃至第６結合孔４３２ａ、４３４ａ、４３６ａ、４４２ａ、４４４ａ、４４６ａ、前記第１ガイドフレーム６００の第７及び第８突起６３３、６３４と結合される第７及び第８結合孔４５２ａ、４５４ａ、そして前記第２ガイドフレーム７００の第９及び第１０突起７３３、７３４と結合される第９及び第１０結合孔４６２ａ、４６４ａが形成される。
【００９２】
具体的に、前記ボトムシャーシ８００の第１側壁８２０の外側に形成される第１乃至第３エンボシング８２２、８２４、８２６は、前記ミドルモールドフレーム４００の第１、第２及び第３結合孔４３２ａ、４３４ａ、４３６ａと各々結合し、前記ボトムシャーシ８００の第２側壁８３０に形成される第４乃至第６エンボシング８３２、８３４、８３６は、前記ミドルモールドフレーム４００の第４、第５及び第６結合孔４４２ａ、４４４ａ、４４６ａと各々結合する。
【００９３】
このとき、第１乃至第６エンボシング８２２、８２４、８２６、８３２、８３４、８３６に各々形成された前記第１乃至第６突起８２２ａ、８２４ａ、８２６ａ、８３２ａ、８３４ａ、８３６ａは、前記第１乃至第６結合孔４３２ａ、４３４ａ、４３６ａ、４４２ａ、４４４ａ、４４６ａの外部に露出される。
【００９４】
一方、第７及び第８結合孔４５２ａ、４５４ａは前記第１ガイドフレーム６００の前記第７及び第８突起６３３、６３４と各々結合し、前記第７及び第８突起６３３、６３４は前記第７及び第８結合孔４５２ａ、４５４ａの外部へ所定部分突出される。同様に、前記第９及び第１０結合孔４６２ａ、４６４ａは前記第２ガイドフレーム７００の前記第９及び第１０突起７３３、７３４と各々結合し、前記第９及び第１０突起７３３、７３４は前記第９及び第１０結合孔４６２ａ、４６４ａの外部へ所定部分突出される。
【００９５】
上述したように、前記ミドルモールドフレーム４００を前記ボトムシャーシ８００と結合させた後、前記ディスプレーユニット３００、トップシャーシ２３０、前面ケース２１０及び背面ケース２２０を結合すると、図１６に図示されたような液晶表示装置が完成される。尚、ミドルモールドフレーム４００がガイドフレーム６００，７００と結合される際、結合突起４２２，４２４がそれぞれ「コ」の字状の溝６１３に挿入され、ガイドフレームの変位の防止効果をさらに強める。
【００９６】
図１６は、図３に図示された液晶表示装置の結合構造を示した断面図である。
【００９７】
図１６を参照すれば、前記ボトムシャーシ８００の収納空間に前記反射板５５０を収納し、前記第１ガイドフレーム６００を前記ボトムシャーシ８００の第１及び第２固定側壁８４０、８５０に固定し、前記第２ガイドフレーム７００を前記ボトムシャーシ８００の第３及び第４固定側壁８６０、８７０に固定する。
【００９８】
次、図１２に図示されたように、前記第１ランプユニット５３０のランプカバーがボトムシャーシ８００の第２側壁８３０と直接接触するように、前記ボトムシャーシ８００の第２側壁８３０に密着して設ける。前記第２ランプユニット５４０は前記ランプカバー５４２が前記ボトムシャーシ８００の第１側壁８２０と直接接触するように前記ボトムシャーシ８００の第１側壁８２０に密着して設ける。そして、前記導光板５２０及び光学シート５１０を前記ボトムシャーシ８００の収納空間に順次に収納する。前記ボトムシャーシ８００の背面にはＡ／Ｄボード（図示せず）及びインバータボード（図示せず）が結合される。
【００９９】
続いて、前記ボトムシャーシ８００と対向して前記ミドルモールドフレーム４００を結合して前記反射板５５０、第１及び第２ガイドフレーム６００、７００、導光板５２０、光学シート５１０を前記ボトムシャーシ８００に固定する。このとき、第１乃至第１０突起８２２ａ、８２４ａ、８２６ａ、８３２ａ、８３４ａ、８３６ａ、６３３、６３４、７３１、７３３は前記ミドルモールドフレーム４００の第１乃至第１０結合孔４３２ａ、４３４ａ、４３６ａ、４４２ａ、４４４ａ、４４６ａ、４５２ａ、４５４ａ、４６２ａ、４６４ａの外部へ露出された状態を維持する。
【０１００】
前記ミドルモールドフレーム４００の上部に前記ディスプレーユニット３００を定着し、前記ディスプレーユニット３００の上面で前記トップシャーシ２３０を結合する。前記トップシャーシ２３０の側壁には前記第１乃至第１０突起８２２ａ、８２４ａ、８２６ａ、８３２ａ、８３４ａ、８３６ａ、６３３、６３４、７３１、７３３と各々結合する結合孔（図示せず）が形成される。
【０１０１】
以後、前記トップシャーシ２３０側から前記前面ケース２１０が組み付けられ、前記前面ケース２１０と対向して前記ボトムシャーシ８００側から前記背面ケース２２０が結合され液晶表示装置が完成される。
【０１０２】
以上、本発明の実施例によって詳細に説明したが、本発明はこれに限定されず、本発明が属する技術分野において通常の知識を有するものであれば本発明の思想と精神を離れることなく、本発明を修正または変更できるであろう。
【０１０３】
【発明の効果】
上述したような液晶表示装置によると、ランプをカバーして保護するランプカバーは、ボトムシャーシの側壁に直接的に接触して実装される。そして、導光板及び拡散シートなどは前記ランプと直交する方向に前記ボトムシャーシの側壁に各々設けられるガイドフレームにより移動が防止される。
【０１０４】
従って、前記導光板、拡散シート及びランプユニットを収納するための収納空間を提供し、これらの移動を防止するために提供するモールドフレームの側壁厚さの分だけ液晶表示装置の大きさを減少させることができる。
【０１０５】
また、前記ランプカバーとボトムシャーシの側壁との間に熱導電性が低いモールドフレームを設けないことにより、前記ランプから発生される熱を容易に外部へ放出させることができる。
【図面の簡単な説明】
【図１】  従来の液晶表示装置を概略的に示した分解斜視図である。
【図２】  図１に図示された液晶表示装置の結合構造を示した断面図である。
【図３】  本発明の望ましい実施形態による液晶表示装置の分解斜視図である。
【図４】  図３に図示されたボトムシャーシの構造を具体的に示した斜視図である。
【図５】  図３に図示されたガイドフレームの構造を具体的に示した図面である。
【図６】  図３に図示されたガイドフレームの構造を具体的に示した図面である。
【図７】  図３に図示されたガイドフレームの構造を具体的に示した図面である。
【図８】  図３に図示されたガイドフレームの構造を具体的に示した図面である。
【図９】  図４に図示されたボトムシャーシとガイドフレームの結合構造を示した平面図である。
【図１０】  図９に図示されたボトムシャーシとガイドフレームとの結合構造をＡ−Ａ′で示した断面図である。
【図１１】  図４に図示されたボトムシャーシの突起の構造をＢ−Ｂ′に示した図面である。
【図１２】  図９に図示されたボトムシャーシに第１及び第２ランプユニットを結合した構造を示した平面図である。
【図１３】  図１２に図示されたボトムシャーシとランプユニットの結合構造をＣ−Ｃ′に示した断面図である。
【図１４】  図１２に図示された第２電力供給ラインのガイド構造を示した斜視図である。
【図１５】  図３に図示されたミドルモールドフレームの構造を具体的に示した斜視図である。
【図１６】  図３に図示された液晶表示装置の結合構造を示した断面図である。
【符号の説明】
２１０    前面ケース
２２０    背面ケース
３００    ディスプレーユニット
４００    ミドルモールドフレーム
５１０    光学シート
５２０    導光板
５３１    第１電力供給ライン
５４１    第２電力供給ライン
５３０    第１ランプユニット
５４０    第２ランプユニット
５５０    反射板
５５５    第１ランプホルダー
６００    第１ガイドフレーム
６１０    第１上板
７００    第２ガイドフレーム
７１０    第２上板
８００    ボトムシャーシ
【図１】
0004275888.tif 000002
【図２】
0004275888.tif 000003
【図３】
0004275888.tif 000004
【図４】
0004275888.tif 000005
【図５】
0004275888.tif 000006
【図６】
0004275888.tif 000007
【図７】
0004275888.tif 000008
【図８】
0004275888.tif 000009
【図９】
0004275888.tif 000010
【図１０】
0004275888.tif 000011
【図１１】
0004275888.tif 000012
【図１２】
0004275888.tif 000013
【図１３】
0004275888.tif 000014
【図１４】
0004275888.tif 000015
【図１５】
0004275888.tif 000016
【図１６】
0004275888.tif 000017